(57)【要約】【課題】  表示スペースが小さい場合であっても、検出された全てのアドレスを選択出来るようにする。【解決手段】  記憶部８は所定の文字列からなる宛先情報を予め記憶し、文字入力部１は所定の文字又は文字列を受入れて、宛先情報検索部５は該文字又は文字列につながる上記宛先情報を記憶部８から検索し、操作指示入力部２は宛先情報検索部５が検出した宛先情報を所定の表示順番に従って表示させ、宛先情報確定部６は表示された上記宛先情報の中から所望の宛先情報の選択確定を求める。【選択図】        図１
2007041675.tif 000002
【特許請求の範囲】
【請求項１】
所定の文字列からなる宛先情報を予め記憶する記憶手段を有し、所定の文字又は文字列を受入れると、該文字又は文字列につながる前記宛先情報を前記記憶手段から検出し、所定の表示手段に表示する宛先情報入力装置であって、
前記記憶手段から検出された前記宛先情報を操作により所定の表示順番に従って表示させる操作指示入力部と、
表示された前記宛先情報の中から所望の宛先情報の選択確定を求める宛先情報確定部とを備えることを特徴とする宛先情報入力装置。
【請求項２】
前記表示順番を所定の規則に基いて設定し、前記操作指示入力部による表示指示を受入れると、前記宛先情報を前記表示順番に従って前記所定の表示手段に表示する表示制御部を更に備えることを特徴とする請求項１に記載の宛先情報入力装置。
【請求項３】
前記表示制御部は、前記操作指示入力部による表示指示を受入れると、前記宛先情報を複数個、前記表示順番に従って前記所定の表示手段に表示することを特徴とする請求項２に記載の宛先情報入力装置。
【請求項４】
前記表示制御部は、前記所定の表示手段に表示する複数個の宛先情報の内１個を前記操作指示入力部による表示指示を受入れる毎に更新することを特徴とする請求項３に記載の宛先情報入力装置。
【請求項５】
前記所定の規則は、前記宛先情報のアルファベット順であることを特徴とする請求項１から請求項４までの何れか一項に記載の宛先情報入力装置。
【請求項６】
前記所定の規則は、前記宛先情報が選択確定された回数の多い順であることを特徴とする請求項１から請求項４までの何れか一項に記載の宛先情報入力装置。
【請求項７】
前記宛先情報の選択確定が実行された時刻を計時する計時手段を更に備え、
前記所定の規則は、前記選択確定が実行された時刻が新しい順であることを特徴とする請求項１から請求項４までの何れか一項に記載の宛先情報入力装置。
【発明の詳細な説明】
【技術分野】
【０００１】
本発明は、電子メール等に於ける宛先情報を入力する宛先情報入力装置に関するものである。
【背景技術】
【０００２】
電子メールアドレスをアドレス帳から検索し、検出されたアドレス一覧を自動表示し、ユーザに選択を求める電子メールアドレスの一覧表示機能が公開されている（例えば特許文献１参照）。この技術では、複数の電子メールアドレスを宛先として指定するときに、文字又は文字列が入力されると、電子メールアドレス検索処理部は、入力された文字又は文字列を頭文字として含む電子メールアドレスを電子メールアドレス記憶部の中から検出する。検出された電子メールアドレスは電子メール表示処理部へ一覧表示される。その中から所定の電子メールアドレスが選択される。ここでは、表示スペースが十分大きい場合には、検出された全てのアドレスが一覧表示されるので、該アドレスの全てを選択することが可能であった。しかし、表示スペースが小さい場合には、検出されたアドレスの全てを一覧表示出来ないために、上記アドレスの全てを選択することが出来ない場合も発生していた。
【特許文献１】特開２００３−１６００３号公報
【発明の開示】
【発明が解決しようとする課題】
【０００３】
解決しようとする問題点は、検索されたアドレスの表示スペースが十分大きい場合には、検出された全てのアドレスを選択することが可能であったが、表示スペースが小さい場合には、検出されたアドレスの全てを一覧表示出来ないために、上記アドレスの全てを選択することが出来ない場合も発生していた点である。
【課題を解決するための手段】
【０００４】
本発明は、所定の文字列からなる宛先情報を予め記憶する記憶手段を有し、所定の文字又は文字列を受入れると、該文字又は文字列につながる上記宛先情報を上記記憶手段から検出して表示する宛先情報入力装置であって、上記記憶手段から検出された上記宛先情報を操作により所定の表示順番に従って表示させる操作指示入力部と、表示された上記宛先情報の中から所望の宛先情報の選択確定を求める宛先情報確定部とを備えることを主要な特徴とする。
【発明の効果】
【０００５】
上記記憶手段から検出された上記宛先情報を所定の表示順番に従って表示させる操作指示入力部と、表示された上記宛先情報の中から所望の宛先情報の選択確定を求める宛先情報確定部とを備えることによって、表示スペースが小さい場合であっても、検出された全てのアドレスを選択することが出来るという効果を得る。
【発明を実施するための最良の形態】
【０００６】
本発明による宛先情報入力装置を、従来の宛先情報入力装置の制御プログラムを変更することのみによって実現した。
【実施例１】
【０００７】
図１は、実施例１の構成のブロック図である。
図に示すように実施例１の宛先情報入力装置１００は、文字入力部１と、操作指示入力部２と、表示部３と、表示制御部４と、宛先情報検索部５と、宛先情報確定部６と、設定部７と、記憶部８と、ＣＰＵ９と、ＲＯＭ１０と、ＲＡＭ１１と、共通バス１２とを備える。
図２は、オペレーションパネルの外観図である。
この図は、図１の説明において必要になる各種キーのオペレーションパネル上に於ける配設位置を表す図であり、１−１はテンキーを、２−１は十字キーを、３−１はＬＣＤを、６−１は選択キーを、６−２は確定キ−を、７−１は設定キーを、それぞれ表している。
【０００８】
図１及び図２を用いて実施例１の宛先情報入力装置１００の構成について詳細に説明する。
文字入力部１は、テンキー１−１を介して利用者から文字入力を受入れる部分である。この部分から、電子メールアドレス（宛先情報）につながる文字又は文字列が利用者によって入力されることになる。テンキー１−１と入力される文字との関係についてその一例を示す。
【０００９】
各キーの文字への割振りの一例を以下に示す。
テンキー１−１ａを一回押下すると「１」が入力される。テンキー１−１ｂを１回押下すると「２」が入力される。２回続けて押下すると「ａ」が入力される。３回続けて押下すると「ｂ」が入力される。以降、テンキー１−１ｂの押下回数を増加させる毎に「ｃ」「Ａ」「Ｂ」「Ｃ」が入力される。テンキー１−１ｃを１回押下すると「３」が入力される。２回続けて押下すると「ｄ」が入力される。３回続けて押下すると「ｅ」が入力される。以降、テンキー１−１ｃの押下回数を増加させる毎に「ｆ」「Ｄ」「Ｅ」「Ｆ」が入力される。
【００１０】
テンキー１−１ｄを１回押下すると「４」が入力される。２回続けて押下すると「ｇ」が入力される。３回続けて押下すると「ｈ」が入力される。以降、テンキー１−１ｄの押下回数を増加させる毎に「ｉ」「Ｇ」「Ｈ」「Ｉ」が入力される。テンキー１−１ｅを１回押下すると「５」が入力される。２回続けて押下すると「ｊ」が入力される。３回続けて押下すると「ｋ」が入力される。以降、テンキー１−１ｅの押下回数を増加させる毎に「ｌ」「Ｊ」「Ｋ」「Ｌ」が入力される。
【００１１】
テンキー１−１ｆを１回押下すると「６」が入力される。２回続けて押下すると「ｍ」が入力される。３回続けて押下すると「ｎ」が入力される。以降、テンキー１−１ｆの押下回数を増加させる毎に「ｏ」「Ｍ」「Ｎ」「Ｏ」が入力される。テンキー１−１ｇを１回押下すると「７」が入力される。２回続けて押下すると「ｐ」が入力される。３回続けて押下すると「ｑ」が入力される。以降、テンキー１−１ｇの押下回数を増加させる毎に「ｒ」「ｓ」「Ｐ」「Ｑ」「Ｒ」「Ｓ」が入力される。
【００１２】
テンキー１−１ｈを１回押下すると「８」が入力される。２回続けて押下すると「ｔ」が入力される。３回続けて押下すると「ｕ」が入力される。以降、テンキー１−１ｈの押下回数を増加させる毎に「ｖ」「Ｔ」「Ｕ」「Ｖ」が入力される。テンキー１−１ｉを１回押下すると「９」が入力される。２回続けて押下すると「ｗ」が入力される。３回続けて押下すると「ｘ」が入力される。以降、テンキー１−１ｉの押下回数を増加させる毎に「ｙ」「ｚ」「Ｗ」「Ｘ」「Ｙ」「Ｚ」が入力される。
【００１３】
テンキー１−１ｊを１回押下すると「．」が入力される。２回続けて押下すると「、」が入力される。以降、テンキー１−１ｊの押下回数を増加させる毎に「＠」が入力される。テンキー１−１ｋを１回押下すると「０」が入力される。２回続けて押下すると「  」が入力される。３回続けて押下すると「／」が入力される。以降、テンキー１−１ｋの押下回数を増加させる毎に「：」「−」「；」「，」「＊」「＋」「＝」「＿」「？」「！」「“」「＃」「$」「％」「＆」「’」「^」「＜」「＞」が入力される。１−１ｌを１回押下すると入力した文字が削除される。
【００１４】
操作指示入力部２は、表示制御部４に対して電子メールアドレスを記憶部８から１つずつ読み出してＬＣＤ３−１に転送することを指示する部分である。この指示は、十字キー２−１を介する利用者の要求によって実行される。又十字キー２−１を介する利用者によって表示制御部４が記憶部８から読み出して１つずつＬＣＤ３−１に転送する電子メールアドレスの表示順番を定める所定の規則の設定を受入れる部分でもある。又ＬＣＤ３−１の表示をスクロールさせる部分でもある。
【００１５】
表示部３は、ＬＣＤ３−１を有し、操作指示入力部２の指示に基づいて表示制御部４が記憶部８の所定の領域から読み出す電子メールアドレスを１つずつ受入れてＬＣＤ３−１に表示する部分である。ＬＣＤ３−１としては、通常液晶表示板が用いられる。
【００１６】
表示制御部４は、宛先情報検索部５が検出した電子メールアドレスを記憶部８のテンポラリ領域から読み出して、所定の規則に基づく表示順番の変更を実施し、再度記憶部８のテンポラリー領域に保持させる部分である。又操作指示入力部２を介する利用者の要求に基いて電子メールアドレスを１個ずつ記憶部８のテンポラリー領域から読み出して表示部３へ転送する部分である。ここで電子メールアドレスの表示順番の所定の規則の例としては、アルファベット順、宛先確定時間が新しい順、確定回数が多い順、等があげられる。この所定の規則は、利用者によって十字キー２−１を介して操作指示入力部２から入力される。更に利用者によって設定キー７−１が押下されることによって設定部７が設定する。
【００１７】
宛先情報検索部５は、文字入力部１を介して利用者が入力した所定の文字又は文字列を受入れると、記憶部８を検索し、該文字又は文字列につながる電子メールアドレスを検索し、検出できると記憶部８のテンポラリ領域に一時保持させる部分である。例えば利用者がテンキー１−１を３回押下してアルファベットの「ｂ」を入力すると、「ｂ」につながる、例えば「ｂａａｘｙｚ＠ｓｓｓ．ｃｏ．」と「ｂｐｆｌｍｎ＠ｔｔｔ．ｃｏｍ」と「ｂｚｚｃｃｂ＠ａｂｃ．ｃｏ．ｊｐ」等の電子メールアドレスが検出され記憶部８のテンポラリ領域に一時保持される。
【００１８】
宛先情報確定部６は、選択キー６−１と確定キー６−２とを有し、利用者に対して表示部３に所定の表示順番に従って表示される電子メールアドレスの中から、所望する電子メールアドレスを選択キー6−1を介して選択させ、且つ確定キー６−２を介して確定させる部分である。
【００１９】
設定部７は、設定キー７−１を有し、利用者によって十字キー２−１を介して操作指示入力部２から入力された所定の規則（電子メールアドレスの表示順番を設定する規則）を、利用者によって設定キー７−１が押下されたときに設定する部分である。
【００２０】
記憶部８は、所定の文字列からなる電子メールアドレスを予め格納する不揮発性メモリ領域と、宛先情報検索部５が検出した電子メールアドレスを一時保持し、更に、その電子メールアドレスを表示制御部４が所定の規則に従って表示順番を変更し、再格納するテンポラリ領域とを有するメモリである。通常このテンポラリ領域は、ＲＡＭ１１の一部領域が用いられる。ここで記憶部８に電子メールアドレスが予め格納されている状態の一例について説明する。
【００２１】
図３は、宛先情報の格納状態説明図である。
図に示すように、宛先文字列（電子メールアドレス）と最新宛先確定時刻と宛先確定回数とが関連付けて格納されている。
【００２２】
ＣＰＵ９は、ＲＯＭ１０が予め格納する制御プログラムを実行することによって装置全体を制御するマイクロプロセッサである。本実施例では特にＲＯＭ１０が予め格納する所定の制御プログラムを実行することによって表示制御部４と宛先情報検索部５とを起動する部分である。更に、宛先確定時間を計時する計時手段９−１をその内部に有する部分である。
【００２３】
ＲＯＭ１０は、ＣＰＵ９が実行することによって装置全体を制御する制御プログラムを予め格納するリードオンリメモリである。特に本実施例では、ＣＰＵ９が実行することによって表示制御部４と宛先情報検索部５とを起動する制御プログラムを予め格納するリードオンリメモリである。
【００２４】
ＲＡＭ１１は、ＣＰＵ９が所定の制御プログラムを実行する過程で必要になる演算領域を提供するランダムアクセスメモリである。特に本実施例では、記憶部８の上記テンポラリー領域を提供する部分でもある。
共通バス１２は、上記各部分を接続する信号線である。
【００２５】
実施例１の動作について説明する。
図４は、本発明の動作フローチャートである。
図のステップＳ１からステップＳ８までステップ順に実施例1の宛先情報入力装置１００（図１）の動作について説明する。
尚、動作説明の前提条件として記憶部８（図１）には図３に示すように宛先情報（電子メールアドレス）が、最新宛先確定時刻、及び宛先確定回数と関連付けられた状態で格納されているものとする。
【００２６】
ステップＳ１
利用者がテンキー１−１（図２）を操作して宛先情報の頭文字を入力する。例えばテンキー１−１ｂ（図２）を３回押下する。このとき入力された宛先情報の頭文字ｂがＬＣＤ３−１（図１）に表示される。
【００２７】
ステップＳ２
利用者が十字キー２−１ｂ（図２）を押下すると、宛先情報検索部５（図１）は記憶部８（図１）に格納されている宛先情報（図３）を検索し、頭文字ｂにつながる電子メールアドレスを検出し、記憶部８（図１）のテンポラリ領域に一時保持させる。前提条件より「ｂａａｘｙｚ＠ｓｓｓ．ｃｏ．ｊｐ」と「ｂｐｆｌｍｎ＠ｔｔｔ．ｃｏｍ」と「ｂｚｚｃｃｂ＠ａｂｃ．ｃｏ．ｊｐ」が検出され記憶部８（図１）のテンポラリ領域に一時保持される。ここで宛先情報検索部５（図１）に記憶部８（図１）の検索を開始させるキーは、十字キー２−１ｂに限定されるものではなく、十字キー２−１ａ、又は十字キー２−１ｃ、又は十字キー２−１ｄであっても良い。
【００２８】
ステップＳ３
表示順番を定める所定の規則がアルファベット順に設定されている場合には、ステップＳ４へ進み、それ以外の場合にはステップＳ５へ進む。
【００２９】
ステップＳ４
宛先情報検索部５（図１）によって検出された電子メールアドレスを表示制御部４（図１）がアルファベット順に表示順番を変更して再度記憶部８（図１）のテンポラリ領域に一時保持させる。ここでは、「ｂａａｘｙｚ＠ｓｓｓ．ｃｏ．ｊｐ」「ｂｐｆｌｍｎ＠ｔｔｔ．ｃｏｍ」「ｂｚｚｃｃｂ＠ａｂｃ．ｃｏ．ｊｐ」の順番で格納されることになる。
【００３０】
ステップＳ５
表示順番を定める所定の規則が宛先確定時刻が新しい順に設定されている場合には、ステップＳ６へ進み、それ以外（宛先確定回数が多い順）に設定されている場合にはステップＳ７へ進む。
【００３１】
ステップＳ６
宛先情報検索部５（図１）によって検出された電子メールアドレスを表示制御部４（図１）が、宛先確定時刻が新しい順に表示順番を変更して再度記憶部８（図１）のテンポラリ領域に一時保持させる。ここでは、図３の最新宛先確定時刻に基いて「ｂａａｘｙｚ＠ｓｓｓ．ｃｏ．ｊｐ」「ｂｚｚｃｃｂ＠ａｂｃ．ｃｏ．ｊｐ」「ｂｐｆｌｍｎ＠ｔｔｔ．ｃｏｍ」の順番で格納されることになる。
【００３２】
ステップＳ７
宛先情報検索部５（図１）によって検出された電子メールアドレスを表示制御部４（図１）が、宛先確定回数が多い順に表示順番を変更して再度記憶部８のテンポラリ領域に一時保持させる。但し、宛先確定回数が等しい場合は、アルファベット順に並べる。ここでは、図３の宛先確定回数に基いて「ｂｐｆｌｍｎ＠ｔｔｔ．ｃｏｍ」「ｂｚｚｃｃｂ＠ａｂｃ．ｃｏ．ｊｐ」「ｂａａｘｙｚ＠ｓｓｓ．ｃｏ．ｊｐ」の順番で格納されることになる。
【００３３】
ステップＳ８
利用者が、十字キー２−１（図１）を押下して宛先情報（電子メールアドレス）の表示切替を行って宛先情報を選択し、且つ選択した宛先情報を確定してフローを終了する。その動作の詳細について説明する。
【００３４】
図５は、実施例１の宛先情報の選択と確定の表示遷移図である。
この図を用いて、宛先情報の表示切替、選択、確定に至るまでに利用者が実行するキー操作についてステップＫ００１からステップＫ００９までステップ順に説明する。動作説明の前提条件として、このフローは、上記ステップＳ４を通ってきたものとする。即ち、記憶部８（図１）のテンポラリ領域には、宛先情報検索部５（図１）によって検出された電子メールアドレスが表示制御部４（図１）によってアルファベット順に表示順番が変更され、「ｂａａｘｙｚ＠ｓｓｓ．ｃｏ．ｊｐ」「ｂｐｆｌｍｎ＠ｔｔｔ．ｃｏｍ」「ｂｚｚｃｃｂ＠ａｂｃ．ｃｏ．ｊｐ」の順番で格納されているものとする。
【００３５】
ステップＫ００１
利用者が十字キー２−１ｂ（図２）を押下するとＬＣＤ３−１（図２）に記憶部８（図１）のテンポラリ領域の最初に格納されているｂａａｘｙｚ＠ｓｓｓ．ｃｏ．ｊｐが表示される（Ｄ００１）。
【００３６】
ステップＫ００２
利用者が選択キー６−１（図２）を押下するとｂａａｘｙｚ＠ｓｓｓ．ｃｏ．ｊｐの末尾に＊が付される（Ｄ００２）。これは利用者によって宛先情報として選択されたことを示している。
【００３７】
ステップＫ００３
利用者が選択キー６−１（図２）を再度押下するとｂａａｘｙｚ＠ｓｓｓ．ｃｏ．ｊｐの末尾から＊が消去される（Ｄ００３）。これは利用者によって宛先情報としての選択が解除されたことを示している。
【００３８】
ステップＫ００４
利用者が選択キー６−１（図２）を再々度押下するとｂａａｘｙｚ＠ｓｓｓ．ｃｏ．ｊｐの末尾に＊が付される（Ｄ００４）。
以上ステップＫ００２〜ステップＫ００４の動作は、利用者が選択キー６−１（図２）を押下する度毎に選択、解除が繰返されることを表している。ここでは選択、解除を繰返したが最終的にはｂａａｘｙｚ＠ｓｓｓ．ｃｏ．ｊｐを選択したことになる。
【００３９】
ステップＫ００５
利用者が十字キー２−１ｂ（図２）を押下するとＬＣＤ３−１（図２）に記憶部８（図１）のテンポラリ領域の２番目に格納されているｂｐｆｌｍｎ＠ｔｔｔ．ｃｏｍが表示される（Ｄ００５）。
【００４０】
ステップＫ００６
利用者が十字キー２−１ｂ（図２）を押下するとＬＣＤ３−１（図２）に記憶部８（図１）のテンポラリ領域の３番目に格納されているｂｚｚｃｃｂ＠ａｂｃ．ｃｏ．ｊｐが表示される（Ｄ００６）。ここでは、テンポラリ領域の２番目に格納されているｂｐｆｌｍｎ＠ｔｔｔ．ｃｏｍについては選択を見送り、テンポラリ領域の３番目に格納されているｂｚｚｃｃｂ＠ａｂｃ．ｃｏ．ｊｐを検討している。
【００４１】
ステップＫ００７
利用者が選択キー６−１（図２）を押下するとｂｚｚｃｃｂ＠ａｂｃ．ｃｏ．ｊｐの末尾に＊が付される（Ｄ００７）。ここでは、テンポラリ領域の３番目に格納されているｂｚｚｃｃｂ＠ａｂｃ．ｃｏ．ｊｐは利用者によって選択されたことになる。
【００４２】
ステップＫ００８
利用者が確定キー６−２（図２）を押下する選択されたｂａａｘｙｚ＠ｓｓｓ．ｃｏ．ｊｐとｂｚｚｃｃｂ＠ａｂｃ．ｃｏ．ｊｐが宛先としてまとめて確定される。ここではｂｚｚｃｃｂ＠ａｂｃ．ｃｏ．ｊｐの末尾から＊が消去される（Ｄ００８）。
【００４３】
ステップＫ００９
利用者が十字キー２−１ａ（図２）を押下すると、確定された宛先ｂａａｘｙｚ＠ｓｓｓ．ｃｏ．ｊｐとｂｚｚｃｃｂ＠ａｂｃ．ｃｏ．ｊｐとを確認することが出来る。
【００４４】
尚、ここでは記憶部８（図１）のテンポラリ領域には、宛先情報検索部５（図１）によって検出された電子メールアドレスが表示制御部４（図１）によってアルファベット順に表示順番が変更された場合について説明したが、宛先確定時刻が新しい順に表示順番が変更された場合、又は宛先確定回数が多い順に表示順番が変更された場合に於いても全く同様なので説明を省略する。
【００４５】
以上説明したように、本実施例では記憶部８（図１）から検出された上記宛先情報を所定の表示順番に従って表示させる操作指示入力部２（図１）と、表示された上記宛先情報の中から所望の宛先情報の選択確定を求める宛先情報確定部５（図１）とを備えることによって、表示スペースが小さい場合であっても、検出された全てのアドレスを選択することが出来るという効果を得る。
【実施例２】
【００４６】
上記実施例１では、利用者に対して宛先情報の選択を求めるときにＬＣＤ３−１（図１）に電子メールアドレスを１個ずつ表示することとしていたが、本実施例では同時に複数個ずつ表示することとする。
【００４７】
図６は、実施例２の構成のブロック図である。
図に示すように実施例２の宛先情報入力装置２００は、文字入力部１と、操作指示入力部２と、表示部３と、表示制御部２４と、宛先情報検索部５と、宛先情報確定部６と、設定部７と、記憶部８と、ＣＰＵ２９と、ＲＯＭ３０と、ＲＡＭ１１と、共通バス１２とを備える。以下に実施例１と相違する部分のみについて詳細に説明し、実施例１と同様の部分については実施例１と同一の符号を付して説明を省略する。
【００４８】
表示制御部２４は、宛先情報検索部５が検出した電子メールアドレスを記憶部８のテンポラリ領域から読み出して、所定の規則に基いて表示順番の変更を実施し、再度記憶部８のテンポラリー領域に保持させる部分である。又操作指示入力部２を介する利用者の要求に基いて電子メールアドレスを２個ずつ記憶部８のテンポラリー領域から表示順番に読み出して表示部３へ転送する部分である。但し、最初の表示には表示順番１と２が表示それ、次回表示では表示順番２と３が表示それ、次々回表示では表示順番３と４が表示それる。即ち、２個の電子メールアドレスの中に前回転送した電子メールアドレスを１個含めることとする。ここで電子メールアドレスの表示順番の所定の規則の例としては、アルファベット順、宛先確定時間が新しい順、確定回数が多い順、等があげられる。この所定の規則は、利用者が十字キー２−１を介して操作指示入力部２から入力する。更に利用者が設定キー７−１を押下することによって設定部７が設定する。
【００４９】
ＣＰＵ２９は、ＲＯＭ３０が予め格納する制御プログラムを実行することによって装置全体を制御するマイクロプロセッサである。本実施例では特にＲＯＭ３０が予め格納する所定の制御プログラムを実行することによって表示制御部２４と宛先情報検索部５とを起動する部分である。更に、宛先確定時間を計時する計時手段９−１をその内部に有する部分である。
【００５０】
ＲＯＭ３０は、ＣＰＵ２９が実行することによって装置全体を制御する制御プログラムを予め格納するリードオンリメモリである。特に本実施例では、ＣＰＵ２９が実行することによって表示制御部２４と宛先情報検索部５とを起動する制御プログラムを予め格納するリードオンリメモリである。
【００５１】
実施例２の動作について説明する。実施例１と相違する動作は宛先情報の選択と確定を行う動作（図５）のみであり、他の動作は実施例１と同様なので、宛先情報の選択と確定を行う動作のみについて説明する。
【００５２】
図７は、実施例２の宛先情報の選択と確定の表示遷移図である。
この図を用いて、宛先情報の表示切替、選択、確定に至るまでに利用者が実行するキー操作についてステップＫ０１０からステップＫ０１６までステップ順に説明する。動作説明の前提条件として、このフローは、上記ステップＳ４を通ってきたものとする。即ち、記憶部８（図６）のテンポラリ領域には、宛先情報検索部５（図６）によって検出された電子メールアドレスが表示制御部２４（図６）によってアルファベット順に表示順番が変更され、「ｂａａｘｙｚ＠ｓｓｓ．ｃｏ．ｊｐ」「ｂｐｆｌｍｎ＠ｔｔｔ．ｃｏｍ」「ｂｚｚｃｃｂ＠ａｂｃ．ｃｏ．ｊｐ」の順番で格納されているものとする。
【００５３】
ステップＫ０１０
利用者が十字キー２−１ｂ（図２）を押下するとＬＣＤ３−１（図２）に記憶部８（図６）のテンポラリ領域の最初に格納されているｂａａｘｙｚ＠ｓｓｓ．ｃｏ．ｊｐと２番目に格納されているｂｐｆｌｍｎ＠ｔｔｔ．ｃｏｍが一緒に表示される（Ｄ０１０）。このときカーソルがｂａａｘｙｚ＠ｓｓｓ．ｃｏ．ｊｐの頭文字の下に表示される。
【００５４】
ステップＫ０１１
利用者が選択キー６−１（図２）を押下するとカーソルが表示されているｂａａｘｙｚ＠ｓｓｓ．ｃｏ．ｊｐの先頭に＊が付される（Ｄ０１１）。
【００５５】
ステップＫ０１２
利用者が十字キー２−１ｂ（図２）を押下するとカーソルが１つ下方へ移動する。即ち、カーソルがｂｐｆｌｍｎ＠ｔｔｔ．ｃｏｍの頭文字の下に表示される（Ｄ０１２）。
【００５６】
ステップＫ０１３
利用者が十字キー２−１ｂ（図２）を再度押下すると現在１行目に表示されているｂａａｘｙｚ＠ｓｓｓ．ｃｏ．ｊｐが消去され、１行目にｂｐｆｌｍｎ＠ｔｔｔ．ｃｏｍが表示される。更に、２行目には記憶部８（図６）のテンポラリ領域の３番目に格納されているｂｚｚｃｃｂ＠ａｂｃ．ｃｏ．ｊｐが表示されカーソルはｂｚｚｃｃｂ＠ａｂｃ．ｃｏ．ｊｐの頭文字の下に移動する（Ｄ０１３）。
【００５７】
ステップＫ０１４
利用者が選択キー６−１（図２）を押下するとカーソルが表示されているｂｚｚｃｃｂ＠ａｂｃ．ｃｏ．ｊｐの先頭に＊が付される（Ｄ０１４）。
【００５８】
ステップＫ０１５
利用者が確定キー６−２（図２）を押下する選択されたｂａａｘｙｚ＠ｓｓｓ．ｃｏ．ｊｐとｂｚｚｃｃｂ＠ａｂｃ．ｃｏ．ｊｐが宛先としてまとめて確定される。ここではｂｚｚｃｃｂ＠ａｂｃ．ｃｏ．ｊｐの先頭から＊が消去される（Ｄ０１５）。
【００５９】
ステップＫ０１６
利用者が十字キー２−１ａ（図２）を押下すると、確定された宛先ｂａａｘｙｚ＠ｓｓｓ．ｃｏ．ｊｐとｂｚｚｃｃｂ＠ａｂｃ．ｃｏ．ｊｐとを確認することが出来る。
【００６０】
上記実施例１では、利用者に対して宛先情報の選択を求めるときにＬＣＤ３−１（図１）に電子メールアドレスを１個ずつ表示することとしていたが、本実施例では同時に複数個ずつ表示することとしたので、上記実施例１の効果に加えて、宛先情報の選択確定に要する処理時間の短縮を図ることが出来るという効果を得る。
尚、上記説明では、ＬＣＤ３−１（図６）に表示する宛先情報を２行に限定して説明したが、本発明はこの例に限定される訳ではない。すなわち、３行以上であっても良い。
【産業上の利用可能性】
【００６１】
以上の説明した本発明による宛先情報入力装置は、プリンタは勿論のこと、ファクシミリ装置、複写機、スキャナ装置、コピー装置、複合装置等にも適用可能である。
【図面の簡単な説明】
【００６２】
【図１】実施例１の構成のブロック図である。
【図２】オペレーションパネルの外観図である。
【図３】宛先情報の格納状態説明図である。
【図４】本発明の動作フローチャートである。
【図５】実施例１の宛先情報の選択と確定の表示遷移図である。
【図６】実施例２の構成のブロック図である。
【図７】実施例２の宛先情報の選択と確定の表示遷移図である。
【符号の説明】
【００６３】
１    文字入力部
１−１    テンキー
２    操作指示入力部
２−１    十字キー
３    表示部
３−１    ＬＣＤ
４    表示制御部
５    宛先情報検索部
６    宛先情報確認部
６−１    選択キー
６−２    確定キー
７    設定部
７−１    設定キー
８    記憶部
９    ＣＰＵ
９−１    計時手段
１０    ＲＯＭ
１１    ＲＡＭ
【図１】
2007041675.tif 000003
【図２】
2007041675.tif 000004
【図３】
2007041675.tif 000005
【図４】
2007041675.tif 000006
【図５】
2007041675.tif 000007
【図６】
2007041675.tif 000008
【図７】
2007041675.tif 000009